(57)【要約】      （修正有）【課題】消費電力を低減することが可能な無線通信装置を提供する。【解決手段】無線通信装置は、無通信状態となってから個別チャネルの解放が行われるまでの第１の時間間隔未満の第２の時間間隔の間無通信状態が継続した場合に、パケットの送信を停止する制御部を有する。【選択図】図２
2014072566.tif 000002
【特許請求の範囲】
【請求項１】
無通信状態となってから個別チャネルの解放が行われるまでの第１の時間間隔未満の第２の時間間隔の間無通信状態が継続した場合に、パケットの送信を停止する制御部
を有する、無線通信装置。
【請求項２】
前記制御部は、前記第１の時間間隔が経過した場合に、前記パケットの送信を停止することを継続する、請求項１に記載の無線通信装置。
【請求項３】
前記第２の時間間隔の経過後に、パケットを送信するアプリケーションを格納する記憶部
を有し、
前記制御部は、前記第２の時間間隔の経過後、前記記憶部に格納されたアプリケーションの動作によるパケットの送信を行う、請求項１又は２に記載の無線通信装置。
【請求項４】
前記制御部は、前記第１の時間間隔を測定する、請求項１ないし３のいずれか１項に記載の無線通信装置。
【請求項５】
無通信状態となってから個別チャネルの解放が行われるまでの第１の時間間隔未満の第２の時間間隔の間、無通信状態が継続した場合に、パケットの送信を停止する、通信制御方法。
【発明の詳細な説明】
【技術分野】
【０００１】
本発明は、無線通信システムに関する。
【背景技術】
【０００２】
携帯端末に実装されるアプリケーションには、チャネル状態に関わらずパケットデータの送信を行うものがある。例えば、アプリケーションが動作することにより、携帯端末は、パケット通信中のチャネル状態に関わらずパケットデータの送信を行う。
【０００３】
通信網には、携帯端末との間のパケット通信が一定時間無通信となることを監視する無通信タイマが設けられる。個別チャネルが設定されている状態で、且つ無通信タイマが一定時間に達した際に、網は、携帯端末に、共通チャネルをアサインする等の制御を行うことがある（例えば、非特許文献１参照）。
【０００４】
端末が送信するパケットデータサイズを基地局側で判定し、無通信タイマを個別に設定することが知られている（例えば、特許文献１参照）。
【先行技術文献】
【特許文献】
【０００５】
【特許文献１】特開２００３−３７８７４号公報
【非特許文献】
【０００６】
【非特許文献１】３ＧＰＰ  ２５．３３１  Ｖ８．１９．０，  "１０．２．２２  Ｐｈｙｓｉｃａｌ  ＣＨＡＮＮＥＬ  ＲＥＣＯＮＦＩＧＵＲＡＴＩＯＮ"，  ２０１２−０６
【発明の概要】
【発明が解決しようとする課題】
【０００７】
個別チャネルがアサインされることにより、携帯端末の消費電力が増大する。
【０００８】
共通チャネルが設定された状態でパケットデータの送信を行う場合には、通信網により、携帯端末に、その都度個別チャネルがアサインされることが多い。送信データの発生の度に個別チャネルが設定されることにより、消費電力がさらに増大する。
【０００９】
開示の無線通信装置は、消費電力を低減することを目的とする。
【課題を解決するための手段】
【００１０】
開示の一実施例の無線通信装置は、
無通信状態となってから個別チャネルの解放が行われるまでの第１の時間間隔未満の第２の時間間隔の間無通信状態が継続した場合に、パケットの送信を停止する制御部
を有する。
【発明の効果】
【００１１】
開示の実施例によれば、消費電力を低減することができる。
【図面の簡単な説明】
【００１２】
【図１】携帯端末の一実施例を示す図である。
【図２】携帯端末の動作の一実施例を示す図である。
【図３】携帯端末の一実施例を示す機能ブロック図である。
【図４】管理テーブルの一実施例を示す図である。
【図５】携帯端末の動作の一実施例を示すフローチャート（その１）である。
【図６】携帯端末の動作の一実施例を示すフローチャート（その２）である。
【図７】携帯端末の動作の一実施例を示すフローチャート（その３）である。
【図８】携帯端末の動作の一実施例を示すフローチャート（その４）である。
【発明を実施するための形態】
【００１３】
以下、図面に基づいて、実施例を説明する。
なお、実施例を説明するための全図において、同一機能を有するものは同一符号を用い、繰り返しの説明は省略する。
【００１４】
＜携帯端末＞
図１は、携帯端末１００の一実施例を示す。図１には、主に、携帯端末１００のハードウェア構成が示される。
【００１５】
携帯端末１００は、ユーザが通信することができる適切な如何なる端末でもよく、例えば、携帯電話、情報端末、パーソナルディジタルアシスタント、携帯用パーソナルコンピュータ、スマートフォン等の無線通信装置が含まれるが、これらに限定されない。
【００１６】
携帯端末１００は、マイク１０２と、ディスプレイ１０４と、スピーカ１０６と、キー１０８と、アプリケーションＣＰＵ１１０と、メモリ１１２と、モデムＣＰＵ１１４と、無線部１１６と、アンテナ１１８とを有する。
【００１７】
アプリケーションＣＰＵ１１０は、マイク１０２と、ディスプレイ１０４と、スピーカ１０６と、キー１０８と、メモリ１１２と接続される。アプリケーションＣＰＵ１１０は、メモリ１１２に格納されるアプリケーションに従って、処理を行う。例えば、アプリケーションＣＰＵ１１０は、アプリケーションに従って動作することにより、マイク１０２、ディスプレイ１０４、スピーカ１０６、キー１０８等を制御する。
【００１８】
モデムＣＰＵ１１４は、アプリケーションＣＰＵ１１０と、メモリ１１２と、無線部１１６と接続される。モデムＣＰＵ１１４は、メモリ１１２に格納されるプログラムに従って、処理を行う。例えば、モデムＣＰＵ１１４は、プログラムに従って動作することにより、無線部１１６を制御する。例えば、モデムＣＰＵ１１４により無線部１１６が制御されることにより、アンテナ１１８を介して無線信号が送信される。
【００１９】
図２は、携帯端末１００の動作を示す。図２において、横軸は時間であり、縦軸は電流値である。
【００２０】
携帯端末１００の一実施例では、ＷＣＤＭＡが適用される。ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）では、ＲＲＣ（無線コネクション)状態には、ＩＤＬＥ状態と、Ｃｏｎｎｅｃｔｅｄ  ｍｏｄｅ状態とが含まれる。さらに、Ｃｏｎｎｅｃｔｅｄ  ｍｏｄｅ状態には、個別チャネルが設定された状態と、共通チャネルが設定された状態とが含まれる。
【００２１】
また、携帯端末１００にＬＴＥが適用されてもよい。
【００２２】
図２によれば、ＩＤＬＥ状態、共通チャネルが設定された状態、個別チャネルが設定された状態の順に、電流値が高くなる。従って、個別チャネルが設定される状態の消費電力は、他の状態と比較して、消費電力が高くなる。
【００２３】
通信パケット量等に応じて、通信網は、個別チャネルのアサインと、共通チャネルのアサインとを繰り返す。また、携帯端末１００は、ＩＤＬＥ状態と、Ｃｏｎｎｅｃｔｅｄ  ｍｏｄｅとを切り替える。ＩＤＬＥ状態と、Ｃｏｎｎｅｃｔｅｄ  ｍｏｄｅとの間の切替は、携帯端末１００により判断されてもよいし、通信網により判断されてもよい。
【００２４】
携帯端末１００は、通信網との間で、パケット呼を確立し、パケット通信を行う。パケット通信を行っている状態で、携帯端末１００は、使用中のチャネル状態を管理するとともに、通信中のパケット送受信データ量を監視する。
【００２５】
携帯端末１００と基地局（図示無し）との間で個別チャネルが設定される。携帯端末１００が個別チャネルでパケット通信中に、送受信するパケットデータが無くなった（零になった）ときの時刻を時刻Ｔ０とする。携帯端末１００に送受信するパケットデータが無くなることにより無通信状態となる。無通信状態とは、任意のコネクションが設定された状態で、通信相手との間で、メッセージの送信又は受信がない状態のことをいう。
【００２６】
個別チャネルが設定された携帯端末１００には、送受信するパケットデータが無くなった状態が所定の時間経過したときに個別チャネル以外のチャネルが設定される。例えば、携帯端末１００には、共通チャネルが設定される。送受信するパケットデータが無くなった状態が所定の時間経過した携帯端末１００に個別チャネル以外のチャネルが設定される時刻を時刻Ｔ１とする。個別チャネル以外のチャネルには、共通チャネルが含まれる。共通チャネルが設定された携帯端末１００は、さらに無通信状態が継続した場合に、ＩＤＬＥ状態に遷移する。
【００２７】
携帯端末１００は、時刻Ｔ０から時刻Ｔ１までの時間間隔Ｔを測定し、在圏する通信網の識別子と対応付けて格納する。携帯端末１００により、時刻Ｔ０から時刻Ｔ１までの時間間隔Ｔが測定されることにより、通信網によって、時間間隔Ｔが異なる場合であっても、在圏した通信網の時間間隔Ｔを測定できる。
【００２８】
携帯端末１００は、基地局との間で個別チャネルが設定されている状態で、送受信するパケットデータが零となった時刻Ｔ０から、時刻Ｔ１（Ｔ０＋Ｔ）までの間で、時刻Ｔ２（Ｔ０＜Ｔ２＜Ｔ１）を設定する。換言すれば、携帯端末１００は、基地局との間で個別チャネルが設定されている状態で、送受信するパケットデータが零となった時刻Ｔ０から、時刻Ｔ１（Ｔ０＋Ｔ）未満の時間の間で、時刻Ｔ２（Ｔ０＜Ｔ２＜Ｔ１）を設定する。以下、送受信するパケットデータが零となった時刻Ｔ０から時刻Ｔ２までの時間を「アクセス許容区間」といい、時刻Ｔ２以降の時間を「アクセス非許容区間」という。「アクセス非許容区間」では、個別チャネルが設定された状態、共通チャネルが設定された状態、アイドル状態が含まれる。
【００２９】
携帯端末１００は、アクセス許容区間で、送信するパケットデータが発生した場合、その送信を許容する。例えば、携帯端末１００は、アクセス許容区間においては、アプリケーションに従って動作することにより送信するパケットデータが発生した場合、その送信のために、基地局にアクセスする。
【００３０】
携帯端末１００は、アクセス非許容区間で、送信するパケットデータが発生した場合、そのアクセスを拒否する。例えば、携帯端末１００は、アクセス非許容区間においては、アプリケーションに従って動作することにより送信するパケットデータが発生した場合、その送信のために、基地局にアクセスすることを拒否する。
【００３１】
また、携帯端末１００は、アプリケーションに従った動作を監視し、パケット送信を行うアプリケーションにより送信されるパケットの送信時間間隔を算出する。携帯端末１００は、パケットの送信時間間隔が、一定のばらつき以内であるアプリケーションについては、定期的にパケットを送信するアプリケーションに従った動作であると判断する。携帯端末１００は、定期的にパケットを送信するアプリケーションを登録し、管理する。
【００３２】
アプリケーションを管理する際に、携帯端末１００は、定期的に更新を行うアプリケーションを管理するようにしてもよい。携帯端末１００は、定期的に更新を行うアプリケーションと、送信する優先度とを関連づけて管理するようにしてもよい。送信する優先度は、ユーザにより事前に設定されるようにしてもよい。
【００３３】
定期的にパケットを送信するアプリケーションを管理する際に、携帯端末１００は、定期的にパケットを送信するアプリケーション以外のアプリケーションに従った動作により通信網へ送信するパケットデータが発生した場合、以下の動作を行う。パケットデータが発生したタイミングがアクセス許容区間である場合には、携帯端末１００は、該パケットデータの送信を行う。パケットデータが発生したタイミングがアクセス非許容区間である場合には、携帯端末１００は、該パケットデータの送信を行わない。
【００３４】
パケットデータが発生したタイミングがアクセス非許容区間である場合であっても、送信する優先度の高いアプリケーションに従った動作により通信網へ送信するパケットデータである場合には、携帯端末１００は、該パケットデータの送信を行うようにしてもよい。
【００３５】
アクセス非許容区間で、パケットデータが連続して発生した場合には、個別チャネルが設定された状態から一定時間経過後には、通信網へのアクセスを許可するように制御するようにしてもよい。長い時間パケットアクセスが失敗することは好ましくないためである。
【００３６】
図３は、携帯端末１００を示す機能ブロック図である。
【００３７】
携帯端末１００は、第１の通信アプリ２０２と、第２の通信アプリ２０４と、第３の通信アプリ２０６と、入出力部２０８と、通信アプリ管理部２１０と、パケット監視部２１２と、チャネル状態管理部２１４と、チャネル切替時間測定部２１６と、データ通信部２１８と、無線制御部２２０と、無線通信部２２２とを有する。
【００３８】
アプリケーションＣＰＵ１１０は、第１の通信アプリ２２０と、第２の通信アプリ２０４と、第３の通信アプリ２０６と、入出力部２０８と、通信アプリ管理部２１０と、パケット監視部２１２として機能する。
【００３９】
モデムＣＰＵ１１４は、チャネル状態管理部２１４と、チャネル切替時間測定部２１６と、データ通信部２１８と、無線制御部２２０と、無線通信部２２２として機能する。
【００４０】
アプリケーションＣＰＵ１１０の機能、モデムＣＰＵ１１４の機能は一例であり、適宜変更可能である。
【００４１】
モデムＣＰＵ１１４は、無線制御部２２０として機能する。無線制御部２２０は、無線部１１６を制御することにより、無線信号の送受信を行う。例えば、無線制御部２２０は、無線通信部２２２を制御することにより、無線部１１６に、無線信号の送受信を行わせる。また、無線制御部２２０は、通信網によるアサインに従って、チャネルを設定する。例えば、無線制御部２２０は、通信網によるアサインに従って、個別チャネル、共通チャネルを設定する。
【００４２】
無線部１１６は、無線通信部２２２として機能する。無線通信部２２２は、無線制御部２２０と接続される。無線通信部２２２は、無線制御部２２０による制御に従って、無線部１１６に、無線信号の送受信を行わせる。
【００４３】
モデムＣＰＵ１１４は、チャネル状態管理部２１４として機能する。チャネル状態管理部２１４は、無線制御部２２０と接続される。チャネル状態管理部２１４は、チャネル状態を取得する。例えば、チャネル状態管理部２１４は、無線制御部２２０から、チャネル状態を取得する。チャネル状態には、個別チャネルが設定されている状態と、共通チャネルが設定されている状態とが含まれる。さらに、チャネル状態に、ＩＤＬＥ状態が含まれてもよい。チャネル状態管理部２１４は、チャネル状態が変化した場合、チャネル切替時間測定部２１６に、チャネル状態が変化したことを通知する。
【００４４】
モデムＣＰＵ１１４は、チャネル切替時間測定部２１６として機能する。チャネル切替時間測定部２１６は、チャネル状態管理部２１４と接続される。チャネル切替時間測定部２１６は、チャネル状態管理部２１４からチャネル状態が変化したことが通知される。チャネル切替時間測定部２１６は、個別チャネルを使用中であり、且つ無通信となった場合、測定タイマを起動する。例えば、チャネル切替時間測定部２１６は、データ通信部２１８に、データを送信しているか否かを問い合わせる。チャネル切替時間測定部２１６は、データを送信しているか否かの問い合わせの結果に基づいて、無通信であるか否かを判定する。チャネル切替時間測定部２１６は、測定タイマに、時刻Ｔ０を設定する。
【００４５】
チャネル切替時間測定部２１６は、イベントが発生するまで待機する。測定タイマの時刻が時刻Ｔ１となるまでにイベントが発生しない場合には、チャネル切替時間測定部２１６は、測定タイマを終了する。測定タイマの時刻が時刻Ｔ１となるまでにイベントが発生する場合には、チャネル切替時間測定部２１６は、測定タイマを停止する。例えば、測定タイマの時刻が時刻Ｔ１となるまでに、送信するパケットが発生する場合には、チャネル切替時間測定部２１６は、測定タイマを停止する。
【００４６】
モデムＣＰＵ１１４は、データ通信部２１８として機能する。データ通信部２１８は、チャネル切替時間測定部２１６と、無線通信部２２２と接続される。データ通信部２１８は、無線部１１６からデータを送信する。例えば、データ通信部２１８は、無線通信部２２２を制御することにより、データ通信を行う。
【００４７】
アプリケーションＣＰＵ１１０は、パケット監視部２１２として機能する。パケット監視部２１２は、データ通信部２１８と接続される。パケット監視部２１２は、パケットデータの通信中であるか否かを判定する。ここで、パケットデータの通信中とは、個別チャネル又は共通チャネルが設定された状態であることであってもよい。パケット監視部２１２は、パケットデータの通信中である場合、無通信状態であるか否かを判定する。パケット監視部２１２は、無通信状態であると判定した場合、測定タイマを起動する。パケット監視部２１２は、測定タイマに、時刻Ｔ２を設定する。例えば、パケット監視部２１２は、測定タイマに、Ｔ１からαを減算したＴ２を設定する。ここで、αは、α＜Ｔ１−Ｔ０であり、予め設定されてもよい。
【００４８】
パケット監視部２１２は、測定タイマの時刻Ｔ２となるまでにイベントが発生しない場合には、測定タイマを終了し、アクセス非許容区間に設定する。パケット監視部２１２は、送信するパケットが発生した場合、該パケットが、送信する優先度の高いアプリケーションに従った動作により通信網へ送信するパケットデータである場合、アクセス許容区間に設定する。
【００４９】
測定タイマの時刻が時刻Ｔ２となるまでにイベントが発生する場合には、パケット監視部２１２は、測定タイマを停止する。例えば、測定タイマの時刻が時刻Ｔ２となるまでに、送信するパケットが発生する場合には、パケット監視部２１２は、測定タイマを停止する。
【００５０】
アプリケーションＣＰＵ１１０は、通信アプリ管理部２１０として機能する。通信アプリ管理部２１０は、パケット監視部２１２と、チャネル切替時間測定部２１６と接続される。通信アプリ管理部２１０は、イベントが発生するまで待機する。ユーザにより、アプリケーションに関して、送信する優先度を設定するイベントが発生した場合、通信アプリ管理部２１０は、送信する優先度を設定する。
【００５１】
例えば、入出力部２０８により、アプリケーションに関する優先度が入力される。例えば、通信アプリ管理部２１０は、管理テーブルに、送信する優先度と関連づけて、アプリケーションを登録する。
【００５２】
図４は、管理テーブルの一実施例を示す。
【００５３】
図４に示される例では、アプリケーションの識別子と、アプリケーションの優先度とが対応付けられて格納される。図４において、優先度が「高」であるアプリケーションの動作によるパケットの送信は、「アクセス非許容区間」であっても、許容される。優先度が「低」であるアプリケーションの動作によるパケットの送信は、「アクセス非許容区間」では、許容されない。図４に示される管理テーブルは一例であり、適宜設定可能である。
【００５４】
また、通信アプリ管理部２１０は、送信するパケットが発生した場合、該パケットを送信するアプリケーションを特定する。例えば、第１の通信アプリ２０２、第２の通信アプリ２０４、第３の通信アプリ２０６のいずれかに従って、アプリケーションＣＰＵ１１０が機能する場合に、送信するパケットが発生したか否かを判定する。通信アプリ管理部２１０は、特定したアプリケーションに従った動作により通信網へ送信するパケットデータの送信間隔を測定する。
【００５５】
通信アプリ管理部２１０は、送信間隔が略一定であるか否かを判定する。送信間隔が略一定である場合、通信アプリ管理部２１０は、管理テーブルに、アプリケーションを登録する。例えば、通信アプリ管理部２１０は、送信する優先度が高いアプリケーションとして、登録する。
【００５６】
アプリケーションＣＰＵ１１０は、入出力部２０８として機能する。入出力部２０８は、通信アプリ管理部２１０と接続される。入出力部２０８は、キー１０８から、アプリケーションに関して、送信する優先度を設定する情報が入力された場合、通信アプリ管理部２００に通知する。
【００５７】
アプリケーションＣＰＵ１１０は、第１のアプリ２０２、第２のアプリ２０４、第３のアプリ２０６として機能する。第１のアプリ２０２、第２のアプリ２０４、第３のアプリ２０６は、通信アプリ管理部２１０と、パケット監視部２１２と接続される。第１のアプリ２０２、第２のアプリ２０４、第３のアプリ２０６は、パケットを送信するイベントが発生した場合、通信アプリ管理部２１０に、パケットを送信するイベントが発生したことを通知するとともに、パケットをパケット監視部２１２に入力する。
【００５８】
＜携帯端末１００の動作＞
図５は、携帯端末１００の動作を示すフローチャート（その１）である。図５には、主に、チャネル状態管理部２１４の処理が示される。
【００５９】
ステップＳ５０２では、携帯端末１００は、チャネル状態を取得する。
【００６０】
ステップＳ５０４では、携帯端末１００は、チャネル状態が変化したか否かを判定する。例えば、携帯端末１００は、個別チャネルが設定された状態から、個別チャネル以外のチャネルが設定された状態へ変化したか否かを判定するようにしてもよい。
【００６１】
ステップＳ５０６では、ステップＳ５０４でチャネル状態が変化したと判定された場合、携帯端末１００は、チャネル状態を通知する。具体的には、チャネル状態管理部２１４は、チャネル切替時間測定部２１６に、チャネル状態を通知する。
【００６２】
図６は、携帯端末１００の動作を示すフローチャート（その２）である。図６には、主に、チャネル切替時間測定部２１６の処理が示される。
【００６３】
ステップＳ６０２では、携帯端末１００は、チャネル状態を取得する。具体的には、チャネル切替時間測定部２１６は、チャネル状態管理部２１４からチャネル状態を取得する。
【００６４】
ステップＳ６０４では、携帯端末１００は、個別チャネルを使用中であるか否かを判定する。個別チャネルを使用中であると判定されない場合には、ステップＳ６０２に戻る。
【００６５】
ステップＳ６０６では、ステップＳ６０４で個別チャネルを使用中であると判定される場合、携帯端末１００は、無通信であるか否かを判定する。無通信であると判定されない場合、ステップＳ６０６に戻る。
【００６６】
ステップＳ６０８では、ステップＳ６０６で無通信であると判定される場合、携帯端末１００は、測定タイマを起動する。例えば、測定タイマに、時刻Ｔ０を設定する。
【００６７】
ステップＳ６１０では、携帯端末１００は、イベントが発生するまで待機する。
【００６８】
ステップＳ６１２では、携帯端末１００は、測定タイマの時刻が時刻Ｔ１になった場合、測定タイマを終了する。この場合、携帯端末１００には、個別チャネル以外のチャネルが設定される。例えば、携帯端末１００には、共通チャネルが設定される。
【００６９】
ステップＳ６１４では、携帯端末１００は、測定タイマの時刻が時刻Ｔ１になる前に、通信が発生した場合、測定タイマを停止する。この場合、携帯端末１００には、個別チャネルが設定されたままとなる。測定タイマを停止した後に、ステップＳ６０６に遷移する。
【００７０】
図７は、携帯端末１００の動作を示すフローチャート（その３）である。図７には、主に、パケット監視部２１２の処理が示される。
【００７１】
ステップＳ７０２では、携帯端末１００は、通信中であるか否かを判定する。通信中でない場合、ステップＳ７０２に戻る。
【００７２】
ステップＳ７０４では、携帯端末１００は、無通信であるか否かを判定する。無通信であると判定されない場合、ステップＳ７０４に戻る。
【００７３】
ステップＳ７０６では、ステップＳ７０４で無通信であると判定される場合、携帯端末１００は、測定タイマを起動する。例えば、測定タイマに、時刻Ｔ０を設定する。
【００７４】
ステップＳ７０８では、携帯端末１００は、イベントが発生するまで待機する。
【００７５】
ステップＳ７１０では、携帯端末１００は、測定タイマの時刻が時刻Ｔ２になった場合、測定タイマを終了し、アクセス非許容区間に設定する。
【００７６】
ステップＳ７１２では、携帯端末１００は、通信パケットが発生したか否かを判定する。通信パケットが発生しない場合、ステップＳ７１２に戻る。
【００７７】
ステップＳ７１４では、ステップＳ７１２により通信パケットが発生したと判定される場合、該通信パケットを送信するアプリケーションの送信に関する優先度が高い否かを判定する。優先度が高いと判定されない場合、ステップＳ７１２に戻る。
【００７８】
ステップＳ７１６では、ステップＳ７１４で優先度が高いと判定される場合、携帯端末１００は、アクセス許容区間に設定する。アクセス許容区間に設定した後に、携帯端末１００は、ステップＳ７０４に遷移する。
【００７９】
ステップＳ７１８では、携帯端末１００は、測定タイマの時刻が時刻Ｔ２になる前に、通信が発生した場合、測定タイマを停止する。この場合、携帯端末１００には、個別チャネルが設定されたままとなる。測定タイマを停止した後に、携帯端末１００は、ステップＳ７０４に遷移する。
【００８０】
図８は、携帯端末１００の動作を示すフローチャート（その４）である。図８には、主に、通信アプリ管理部２１０の処理が示される。
【００８１】
ステップＳ８０２では、携帯端末１００は、イベントが発生するまで待機する。
【００８２】
ステップＳ８０４では、携帯端末１００は、管理テーブルに、アプリケーションの送信に関する優先度を設定する。
【００８３】
ステップＳ８０６では、携帯端末１００は、通信パケットが発生した場合、通信アプリを特定する。
【００８４】
ステップＳ８０８では、携帯端末１００は、ステップＳ８０６で特定した通信アプリによる通信パケットの通信間隔を測定する。
【００８５】
ステップＳ８１０では、携帯端末１００は、定期的にパケットを送信するアプリケーションであるか否かを判定する。定期的にパケットを送信するアプリケーションでない場合、携帯端末１００は、ステップＳ８０２に戻る。
【００８６】
ステップＳ８１２では、定期的にパケットを送信するアプリケーションである場合、携帯端末１００は、アプリ管理テーブルに登録する。
【００８７】
携帯端末の一実施例によれば、個別チャネルから個別チャネル以外のチャネルへ遷移する時間区間（間隔）において、通信網へのアクセスを制御できる。つまり、個別チャネルから個別チャネル以外のチャネルへ遷移する時間区間未満の時間区間において、通信網へのアクセスを制御できる。また、携帯端末の一実施例によれば、個別チャネル以外のチャネルが設定されている時間区間において、通信網へのアクセスを制御できる。つまり、送信する優先度が高いアプリケーションの動作により送信するパケットの送信が許容される。通信網へのアクセスを制御できることにより、個別チャネルの使用頻度を低減できるため、消費電力を低減できる。また、アプリケーションの動作により発生したパケットにより、個別チャネルから個別チャネル以外のチャネルへ遷移する時間区間が延びることがないため、消費電力を低減できる。
【００８８】
以上の実施例を含む実施形態に関し、更に以下の付記を開示する。
（付記１）
無通信状態となってから個別チャネルの解放が行われるまでの第１の時間間隔未満の第２の時間間隔の間無通信状態が継続した場合に、パケットの送信を停止する制御部
を有する、無線通信装置。
（付記２）
前記制御部は、前記第１の時間間隔が経過した場合に、前記パケットの送信を停止することを継続する、付記１に記載の無線通信装置。
（付記３）
前記第２の時間間隔の経過後に、パケットを送信するアプリケーションを格納する記憶部
を有し、
前記制御部は、前記第２の時間間隔の経過後、前記記憶部に格納されたアプリケーションの動作によるパケットの送信を行う、付記１又は２に記載の無線通信装置。
（付記４）
前記制御部は、前記第１の時間間隔を測定する、付記１ないし３のいずれか１項に記載の無線通信装置。
（付記５）
無通信状態となってから個別チャネルの解放が行われるまでの第１の時間間隔未満の第２の時間間隔の間、無通信状態が継続した場合に、パケットの送信を停止する、通信制御方法。
（付記６）
前記制御部は、前記第１の時間間隔を測定し、該第１の時間間隔から、時間α（α＜第１の時間間隔）を減算することにより、前記第２の時間間隔を求める、付記１ないし４のいずれか１項に記載の無線通信装置。
【符号の説明】
【００８９】
１００  携帯端末
１１０  アプリケーションＣＰＵ
１１４  モデムＣＰＵ
【図１】
2014072566.tif 000003
【図２】
2014072566.tif 000004
【図３】
2014072566.tif 000005
【図４】
2014072566.tif 000006
【図５】
2014072566.tif 000007
【図６】
2014072566.tif 000008
【図７】
2014072566.tif 000009
【図８】
2014072566.tif 000010